【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
撮像部と表示部とを含み、撮像部によって撮影された被写体の画像を取り込み、編集してプリントする写真印刷装置であって、
被写体の重ね撮り画像を生成するための重ね撮り処理を行う重ね撮り処理手段と、
重ね撮り画像に基づきプリント画像を生成する手段とを含み、
前記重ね撮り処理手段は、
抜き取り色を背景として撮像部で撮影中の被写体の画像を現在画像として取り込んで、現在画像から背景部分を抜き取った現在抜き取り画像をリアルタイムに生成する手段と、
所与のタイミングにおける現在抜き取り画像を前回取り込み画像として記憶部に記憶する手段と、
現在抜き取り画像と前回取り込み画像とをリアルタイムに合成して表示部に出力するライブビュー画像を生成するライブビュー画像生成手段と、
所与のタイミングにおけるライブビュー画像に対応した重ね撮り画像を生成する重ね撮り画像生成手段と、
最新の重ね撮り画像とともに、重ね撮り終了／続行指示入力受付画像を表示部に出力する手段と、を含み、
重ね撮りの終了の指示入力を受け付けた場合には、前記重ね撮り処理を終了し、重ね撮り続行の指示入力を受け付けた場合には、前記重ね撮り処理を続行することを特徴とする写真印刷装置。
【請求項２】
撮像部と表示部とを含み、撮像部によって撮影された被写体の画像を取り込み、編集してプリントする写真印刷装置であって、
被写体の重ね撮り画像を生成するための重ね撮り処理を行う重ね撮り処理手段と、
重ね撮り画像に基づきプリント画像を生成する手段とを含み、
重ね撮り処理手段は、
抜き取り色を背景として撮像部で撮影中の被写体の画像を現在画像として取り込んで、現在画像から背景部分を抜き取った現在抜き取り画像をリアルタイムに生成する手段と、
所与のタイミングにおける現在抜き取り画像を前回取り込み画像として記憶部に記憶する手段と、
現在抜き取り画像と前回取り込み画像とをリアルタイムに合成して表示部に出力するライブビュー画像を生成するライブビュー画像生成手段と、
所与のタイミングにおけるライブビュー画像に対応した重ね撮り画像を生成する重ね撮り画像生成手段と、
最新の重ね撮り画像を生成する際に使用された前回取り込み画像、又は最新の重ね撮り画像の１つ前の重ね撮り画像のいずれかを前回状態保存画像として記憶する前回状態保存画像記憶手段と、
最新の重ね撮り画像のキャンセル入力を受け付ける手段と、を含み、
キャンセル入力を受け付けた場合には、前回状態保存画像記憶手段に記憶された前回状態保存画像を前回取り込み画像として、現在抜き取り画像との重ね撮り処理を行うことを特徴とする写真印刷装置。
【請求項３】
請求項１乃至２のいずれかにおいて、
前記重ね撮り処理手段は、
前回の撮影タイミングにおける現在抜き取り画像を前回取り込み画像として重ね撮り処理を行うことを特徴とする写真印刷装置。
【請求項４】
請求項１乃至３のいずれかにおいて、
前記重ね撮り処理手段は、
前記重ね撮り画像から背景部分を抜き取った画像を、前回取り込み画像として重ね撮り処理を行うことを特徴とする写真印刷装置。
【請求項５】
撮像部と表示部とを含み、撮像部によって撮影された被写体の画像を取り込み、編集してプリントする写真印刷装置を制御するためのプログラムであって、
被写体の重ね撮り画像を生成するための重ね撮り処理を行う重ね撮り処理手段と、
重ね撮り画像に基づきプリント画像を生成する手段としてコンピュータを機能させ、
重ね撮り処理手段は、
抜き取り色を背景として撮像部で撮影中の被写体の画像を現在画像として取り込んで、現在画像から背景部分を抜き取った現在抜き取り画像をリアルタイムに生成する手段と、
所与のタイミングにおける現在抜き取り画像を前回取り込み画像として記憶部に記憶する手段と、
現在抜き取り画像と前回取り込み画像とをリアルタイムに合成して表示部に出力するライブビュー画像を生成するライブビュー画像生成手段と、
所与のタイミングにおけるライブビュー画像に対応した重ね撮り画像を生成する重ね撮り画像生成手段と、
最新の重ね撮り画像とともに、重ね撮り終了／続行指示入力受付画像を表示部に出力する手段と、を含み、
撮りの終了の指示入力を受け付けた場合には、前記重ね撮り処理を終了し、重ね撮り続行の指示入力を受け付けた場合には、前記重ね撮り処理を続行することを特徴とするプログラム。
【請求項６】
撮像部と表示部とを含み、撮像部によって撮影された被写体の画像を取り込み、編集してプリントする写真印刷装置を制御するためのプログラムであって、
被写体の重ね撮り画像を生成するための重ね撮り処理を行う重ね撮り処理手段と、
重ね撮り画像に基づきプリント画像を生成する手段としてコンピュータを機能させ、
重ね撮り処理手段は、
抜き取り色を背景として撮像部で撮影中の被写体の画像を現在画像として取り込んで、現在画像から背景部分を抜き取った現在抜き取り画像をリアルタイムに生成する手段と、
所与のタイミングにおける現在抜き取り画像を前回取り込み画像として記憶部に記憶する手段と、
現在抜き取り画像と前回取り込み画像とをリアルタイムに合成して表示部に出力するライブビュー画像を生成するライブビュー画像生成手段と、
所与のタイミングにおけるライブビュー画像に対応した重ね撮り画像を生成する重ね撮り画像生成手段と、
最新の重ね撮り画像を生成する際に使用された前回取り込み画像、又は最新の重ね撮り画像の１つ前の重ね撮り画像のいずれかを前回状態保存画像として記憶する前回状態保存画像記憶手段と、
最新の重ね撮り画像のキャンセル入力を受け付ける手段と、を含み、
キャンセル入力を受け付けた場合には、前回状態保存画像記憶手段に記憶された前回状態保存画像を前回取り込み画像として、現在抜き取り画像との重ね撮り処理を行うことを特徴とするプログラム。
【請求項７】
コンピュータ読み取り可能な情報記憶媒体であって、請求項５又は６に記載のプログラムが記憶されていることを特徴とする情報記憶媒体。
【請求項８】
撮像部と表示部とを含み、撮像部によって撮影された被写体の画像を取り込み、編集してプリントする写真印刷装置の写真印刷方法であって、
被写体の重ね撮り画像を生成するための重ね撮り処理を行う重ね撮り処理ステップと、
重ね撮り画像に基づきプリント画像を生成するステップとを含み、
重ね撮り処理ステップは、
抜き取り色を背景として撮像部で撮影中の被写体の画像を現在画像として取り込んで、現在画像から背景部分を抜き取った現在抜き取り画像をリアルタイムに生成するステップと、
所与のタイミングにおける現在抜き取り画像を前回取り込み画像として記憶部に記憶するステップと、
現在抜き取り画像と前回取り込み画像とをリアルタイムに合成して表示部に出力するライブビュー画像を生成するライブビュー画像生成ステップと、
所与のタイミングにおけるライブビュー画像に対応した重ね撮り画像を生成する重ね撮り画像生成ステップと、
最新の重ね撮り画像とともに、重ね撮り終了／続行指示入力受付画像を表示部に出力するステップと、を含み、
重ね撮りの終了の指示入力を受け付けた場合には、前記重ね撮り処理を終了し、重ね撮り続行の指示入力を受け付けた場合には、前記重ね撮り処理を続行することを特徴とする写真印刷装置の写真印刷方法。
【請求項９】
撮像部と表示部とを含み、撮像部によって撮影された被写体の画像を取り込み、編集してプリントする写真印刷装置の写真印刷方法であって、
被写体の重ね撮り画像を生成するための重ね撮り処理を行う重ね撮り処理ステップと、
重ね撮り画像に基づきプリント画像を生成するステップとを含み、
重ね撮り処理ステップは、
抜き取り色を背景として撮像部で撮影中の被写体の画像を現在画像として取り込んで、現在画像から背景部分を抜き取った現在抜き取り画像をリアルタイムに生成するステップと、
所与のタイミングにおける現在抜き取り画像を前回取り込み画像として記憶部に記憶するステップと、
現在抜き取り画像と前回取り込み画像とをリアルタイムに合成して表示部に出力するライブビュー画像を生成するライブビュー画像生成ステップと、
所与のタイミングにおけるライブビュー画像に対応した重ね撮り画像を生成する重ね撮り画像生成ステップと、
最新の重ね撮り画像を生成する際に使用された前回取り込み画像、又は最新の重ね撮り画像の１つ前の重ね撮り画像のいずれかを前回状態保存画像として記憶する前回状態保存画像記憶ステップと、
最新の重ね撮り画像のキャンセル入力を受け付けるステップと、を含み、
キャンセル入力を受け付けた場合には、前回状態保存画像記憶手段に記憶された前回状態保存画像を前回取り込み画像として、現在抜き取り画像との重ね撮り処理を行うことを特徴とする写真印刷装置の写真印刷方法。